(57)【要約】【課題】反射光を観察する場合も透過光を観察する場合も適切に見える印刷物を実現する印刷制御装置およびその制御方法を提供すること。【解決手段】元画像のデータに基づいて、記録媒体の第１の面への印刷に用いる第１の印刷データを生成する。また、元画像のデータに基づいて、第１の面と異なる第２の面への印刷に用いる第２の印刷データであって、元画像のデータが表す輝度範囲のうち、第１の印刷データが表す輝度範囲よりも高輝度の範囲を表す第２の印刷データを生成する。【選択図】図４
2019005973.tif 000002
【特許請求の範囲】
【請求項１】
元画像のデータに基づいて、記録媒体の第１の面への印刷に用いる第１の印刷データを生成する第１の生成手段と、
前記元画像のデータに基づいて、前記第１の面と異なる第２の面への印刷に用いる第２の印刷データを生成する第２の生成手段と、を有し、
前記第２の印刷データは、前記元画像のデータが表す輝度範囲のうち、前記第１の印刷データが表す輝度範囲よりも高輝度の範囲を表す、
ことを特徴とする印刷制御装置。
【請求項２】
前記第１の印刷データは、前記元画像のデータのうち、予め定められた環境光の輝度範囲を表すことを特徴とする請求項１に記載の印刷制御装置。
【請求項３】
前記第２の印刷データは、前記環境光よりも高い輝度の照明光によって前記第１の印刷データおよび前記第２の印刷データが印刷された記録媒体を照明した際に観察される、前記第１の印刷データによる画像と、前記第２の印刷データによる画像との合成画像に、前記第１の印刷データによる画像よりも高い輝度ダイナミックレンジを付加することを特徴とする請求項２に記載の印刷制御装置。
【請求項４】
前記第２の生成手段は、前記元画像と、前記記録媒体の透過光によって観察される前記第１の印刷データによる画像との差に相当する画像を表す印刷データを前記第２の印刷データとして生成することを特徴とする請求項１から請求項３のいずれか１項に記載の印刷制御装置。
【請求項５】
前記第２の生成手段は、前記記録媒体の透過率と、前記第１の面に印刷された画像の透過率とに基づいて、前記第２の印刷データを生成することを特徴とする請求項４に記載の印刷制御装置。
【請求項６】
前記第２の生成手段は、前記第２の面、前記記録媒体、および前記第１の面を透過した光によって前記元画像の階調が得られるように前記第２の面の透過率を制御する前記第２の印刷データを生成することを特徴とする請求項５に記載の印刷制御装置。
【請求項７】
前記第２の生成手段は、前記第１の面および前記第２の面を照明する光源の特性に基づいて、階調変化が大きいエッジ部分に前記光源で発生しうるハローを抑制するための階調変化を付与した前記第２の印刷データを生成することを特徴とする請求項１から請求項６のいずれか１項に記載の印刷制御装置。
【請求項８】
元画像のデータに基づいて、記録媒体の第１の面への印刷に用いる第１の印刷データを生成する第１の生成手段と、
前記元画像のデータに基づいて、前記第１の面と異なる第２の面への印刷に用いる第２の印刷データを生成する第２の生成手段と、を有し、
前記第２の印刷データは、前記元画像のデータが表す色域のうち、前記第１の印刷データが表す色域よりも広い色域に対応する範囲を表す、
ことを特徴とする印刷制御装置。
【請求項９】
前記第２の面が、前記記録媒体の、前記第１の面と反対の面であることを特徴とする請求項１から請求項８のいずれか１項に記載の印刷制御装置。
【請求項１０】
前記第２の面が、前記記録媒体と異なる記録媒体の面であることを特徴とする請求項１から請求項８のいずれか１項に記載の印刷制御装置。
【請求項１１】
元画像のデータに基づいて、記録媒体の第１の面への印刷に用いる第１の印刷データを生成する第１生成工程と、
前記元画像のデータに基づいて、前記第１の面と異なる第２の面への印刷に用いる第２の印刷データを生成する第２生成工程と、を有し、
前記第２の印刷データは、前記元画像のデータが表す輝度範囲のうち、前記第１の印刷データが表す輝度範囲よりも高輝度の範囲を表す、
ことを特徴とする印刷制御装置の制御方法。
【請求項１２】
元画像のデータに基づいて、記録媒体の第１の面への印刷に用いる第１の印刷データを生成する第１生成工程と、
前記元画像のデータに基づいて、前記第１の面と異なる第２の面への印刷に用いる第２の印刷データを生成する第２生成工程と、を有し、
前記第２の印刷データは、前記元画像のデータが表す色域のうち、前記第１の印刷データが表す色域よりも広い色域に対応する範囲を表す、
ことを特徴とする印刷制御装置の制御方法。
【請求項１３】
コンピュータを、請求項１から請求項１０のいずれか１項に記載の印刷制御装置の各手段として機能させるためのプログラム。
【発明の詳細な説明】
【技術分野】
【０００１】
本発明は印刷制御装置およびその制御方法に関する。
【背景技術】
【０００２】
従来、一般的な印刷物は蛍光灯や太陽光といった環境光下で観察することが想定されているが、印刷物を裏面から高輝度の面光源で照明することにより、印刷物の透過光を観察させる装置も提案されている（特許文献１）。
【先行技術文献】
【特許文献】
【０００３】
【特許文献１】特開２０１４−０１６４１６号公報
【発明の概要】
【発明が解決しようとする課題】
【０００４】
しかしながら、同一の印刷物を反射光で観察する場合と、透過光で観察する場合とでは見え方が大きく異なる。例えば、透過光で観察する際に良好な色やコントラストとなるような印刷物を反射光で観察すると、透過光で観察する場合よりも明るさやコントラストが大きく低下したり、色がくすんで見えたりする。
【０００５】
本発明はこのような従来技術の課題に鑑みてなされたもので、反射光を観察する場合も透過光を観察する場合も適切に見える印刷物を実現する印刷制御装置およびその制御方法を提供することを１つの目的とする。
【課題を解決するための手段】
【０００６】
上述の目的は、元画像のデータに基づいて、記録媒体の第１の面への印刷に用いる第１の印刷データを生成する第１の生成手段と、元画像のデータに基づいて、第１の面と異なる第２の面への印刷に用いる第２の印刷データを生成する第２の生成手段と、を有し、第２の印刷データは、元画像のデータが表す輝度範囲のうち、第１の印刷データが表す輝度範囲よりも高輝度の範囲を表す、ことを特徴とする印刷制御装置によって達成される。
【発明の効果】
【０００７】
このような構成により、本発明によれば、反射光を観察する場合も透過光を観察する場合も適切に見える印刷物を実現する印刷制御装置およびその制御方法を提供することができる。
【図面の簡単な説明】
【０００８】
【図１】印刷物の観察状態の例を模式的に示す図
【図２】第１実施形態に係る印刷制御装置として利用可能な汎用コンピュータの機能構成例を示すブロック図
【図３】第１実施形態で出力する印刷物を模式的に示す図
【図４】第１実施形態における印刷制御動作を模式的に示した図
【図５】第１実施形態における階調分離に関する図
【図６】第１実施形態における印刷制御動作のフローチャート
【図７】元画像、第一画像、第二画像の例を模式的に示す図
【図８】第２実施形態における照明光の輝度分布、第二層透過率の例を模式的に示す図
【図９】第２実施形態のハローおよび逆ハローの例を示す図
【図１０】ＲＧＢレーザーを光源とする面光源装置の色域の例を示す図。
【発明を実施するための形態】
【０００９】
以下、添付図面を参照して、本発明の例示的な実施形態について詳細に説明する。なお、以下の実施形態では、発明に係る印刷制御装置をパーソナルコンピュータ（ＰＣ）のような汎用コンピュータで実施する構成について説明するが、本発明は画像形成装置やプリンタを制御可能な任意の電子機器で実施可能である。このような電子機器には例えばスマートフォン、タブレット端末、ゲーム機など、様々なコンピュータ機器が含まれる。
【００１０】
●（第１実施形態）
図１は、本実施形態の印刷制御装置の制御に従って出力された印刷物の観察方法を模式的に示す図であり、図１（ａ）は反射光を観察する場合、図１（ｂ）は透過光を観察する場合をそれぞれ示している。ここでは、面光源装置１０１に印刷物１０２を載せ、反射光を観察する場合には面光源装置１０１を消灯し、透過光を観察する場合には面光源装置１０１を点灯するものとする。しかし、反射光を観察する場合には面光源装置１０１は不要である。
【００１１】
面光源装置１０１は冷陰極間やＬＥＤといった白色光源を有し、発光領域の大きさは印刷物１０２の大きさとほぼ同じである。面光源装置１０１はライトボックスやビューワーと呼ばれることもある。なお、光源を複数有する場合、面光源装置１０１の明るさは予め定められた領域ごとに調整可能であってもよい。
【００１２】
なお、図１（ｂ）は面光源装置１０１から照明光１０３が出射していることを示すため、印刷物１０２が面光源装置１０１から離間しているように記載しているが、実際には図１（ａ）に示すように発光面上に置かれる。なお、印刷物１０２を例えば縁部で支持するレールまたは額縁状の部材のような、印刷物１０２を着脱可能に保持する部材を面光源装置１０１が有していてもよい。また、図１において印刷物１０２の印刷面を照明する光は、自然光だけであってもよいし、人工光源からの光が含まれていてもよい。
【００１３】
図２は、印刷制御装置として機能する汎用コンピュータ（ＰＣ）２００の機能構成例を模式的に示すブロック図である。
ＣＰＵ２１０は１つ以上のプログラマブルプロセッサであり、ＲＯＭ２１２や記憶装置２１３に記憶されているＯＳやアプリケーションなどのプログラムをＲＡＭ２１１にロードして実行することにより、ＰＣ２００の機能を実現する。ＣＰＵ２１０にはディスプレイコントローラやＧＰＵなどが内蔵されていてもよい。なお、ＰＣ２００が主体として記載されている動作は、実際にはＣＰＵ２１０がプログラムを実行することにより実現する。
【００１４】
ＲＡＭ２１１はＣＰＵ２１０が実行するプログラムをロードしたり、プログラムの一時的な情報を記憶したり、データを一時的にバッファしたりするために用いられる。一部が表示装置２１５のビデオメモリとして用いられてもよい。
【００１５】
ＲＯＭ２１２はＣＰＵ２１０が実行するプログラム、各種の設定値およびパラメータ、ＧＵＩデータなどを記憶する。ＲＯＭ２１２は書き換え可能であってよい。
【００１６】
記憶装置２１３はＯＳ、アプリケーションプログラム、データファイルなどを記憶する。記憶装置２１３はハードディスクドライブ、ソリッドステートドライブなどであってよい。
【００１７】
Ｉ／Ｆ２１４は、外部機器との通信インタフェースであり、一般には複数の規格に準拠したインタフェース群からなる。例えば、ＵＳＢやイーサネット（登録商標）などの規格に準拠した有線通信インタフェース、無線ＬＡＮ、ブルートゥース（登録商標）、携帯電話網（３Ｇ、４Ｇなど）などの規格に準拠した無線通信インタフェースが含まれてよい。また、ＨＤＭＩやDisplayPortなどの規格に準拠した外部ディスプレイ用のインタフェースもＩ／Ｆ２１４に含まれる。本実施形態におけるプリンタ２１９もＩ／Ｆ２１４を介してＰＣ２００と通信を行う。
【００１８】
表示装置２１５は例えば液晶ディスプレイ（ＬＣＤ）であり、ＯＳやアプリケーションプログラムが様々な表示を行う。表示装置２１５の表示はＣＰＵ２１０が制御する。
【００１９】
入力装置２１６はキーボードやポインティングデバイスなど、ユーザがＰＣ２００に入力するための１つ以上の入力デバイスである。
【００２０】
照度センサ／カメラ２１７は、ＰＣ２００の環境光の明るさを検出する。ＰＣ２００がカメラを備える場合、ＣＰＵ２１０が撮像画像から輝度情報を生成することにより所望の場所の明るさを検出することができる。ＰＣ２００が照度センサ（または輝度センサ）を備える場合、計測値もしくは明るさを表す信号がＣＰＵ２１０に入力される。
【００２１】
バス２１８は上述した各機能ブロック間を通信可能に双方向接続する。バス２１８は制御バスおよびデータバスを有する。
【００２２】
プリンタ２１９の方式に特に制限はなく、レーザープリンタ、インクジェットプリンタ、昇華型プリンタなど公知の方式のプリンタを用いることができる。ただし、透過光での観察を考慮すると、光の透過性がよい色材を用いる方が有利である。具体的には、トナーよりは顔料インクが、顔料インクよりは染料インクが光の透過性の点で有利である。従って本実施形態ではプリンタ２１９が染料インクを用いるインクジェットプリンタであるものとする。なお、色材の色数にも特に制限はない。また、印刷層の表面平滑性を向上させたり耐候性を向上させるための透明インクが用いられてもよい。
【００２３】
図３は、本実施形態で出力する印刷物１０２の構成を模式的に示した図である。図３（ａ）は両面印刷した１枚の記録媒体で印刷物１０２を構成する際の構成を、図３（ｂ）は片面印刷した２枚の記録媒体を重ねて印刷物１０２を構成する際の構成をそれぞれ示している。記録媒体は一般に紙や樹脂フィルムを基材とするが、光を通す基材であれば種類や厚さに特に制限はない。
【００２４】
本実施形態では印刷によって記録媒体に形成された、色材を含有する層を便宜上、印刷層と呼ぶ。従って、両面印刷された印刷物１０２は、媒体層１１２の第１の面に表面印刷層１１１が形成され、表面印刷層１１１の反対の第２の面に形成された裏面印刷層１２０とを有する。ここでは便宜上、両面印刷された記録媒体については、媒体層１１２と表面印刷層１１１とを合わせて第一層１１０、裏面印刷層１２０を第二層とする。
【００２５】
一方、図３（ｂ）に示すように、片面印刷された複数枚の記録媒体を重ね合わせて印刷物１０２を構成することもできる。この場合、面光源装置１０１に印刷物１０２を置いた状態で一番上に重ねられる記録媒体に形成された表面印刷層１１１と媒体層１１２を第一層１１０とする。そして、上から２番目の記録媒体の表面印刷層１２１と媒体層１２２とを第二層１２０とする。記録媒体が１枚または２枚の場合、第一層１１０に含まれる印刷層が設けられる面を第１の面、第二層に含まれる印刷層が設けられる面を第２の面とする。
【００２６】
印刷物１０２を反射光で観察する際には基本的に第一層１１０に含まれる印刷層だけが観察され、第二層１２０に含まれる印刷層は観察されない。一方、印刷物１０２を透過光（および環境光の反射光）で観察する際には全ての層に含まれる印刷層が合成されて観察される。第二層１２０を構成する印刷層は２層以上あってもよい。
【００２７】
本実施形態においては媒体層１１２の基材には光沢性、光の透過均一性が良い白色ＰＥＴフィルムを用い、基材の印刷可能な面にはインク受容層が設けられている。従って図３（ａ）の例では媒体層１１２の表面と裏面にそれぞれインク受容層が設けられており、図３（ｂ）の例では媒体層１１２、１２２の片面にインク受容層が設けられている。なお、記録媒体として普通紙を用いる場合にはインク受容層は設けられない。
【００２８】
図４は、本実施形態の印刷制御装置２００の印刷制御動作について模式的に示した図である。また、図６は印刷制御動作のフローチャートである。以下に説明する印刷制御動作はＣＰＵ２１０がプログラムを実行することによって実現される。ＣＰＵ２１０が実行するプログラムはアプリケーション、ＯＳ、プリンタドライバなどを含みうる。
【００２９】
本実施形態では、印刷物を透過光で観察することを想定し、通常撮影時よりもダイナミックレンジが広い画像（ＨＤＲ画像）を元画像として用いる。ＨＤＲ画像は例えば同一シーンを異なる露出で撮影した画像を合成するといった、公知の任意の方法で生成されたものであってよい。元画像は記憶装置２１３に記憶されているものとするが、Ｉ／Ｆ２１４を通じて外部から取得してもよい。また、元画像はＰＣ２００のユーザによって選択されたものであってよい。
【００３０】
Ｓ５０１でＣＰＵ２１０は、元画像２２０を取得する。
Ｓ５０３でＣＰＵ２１０は、環境光情報および照明光情報を取得する。これらの情報はそれぞれ、環境光１０７および照明光１０３の輝度情報である。照明光１０３の輝度は面光源装置１０１の仕様によって定まるため、予めＲＯＭ２１２に記憶しておくことができる。また、環境光についても、印刷物１０２を観察する場所が予め分かっている場合には事前に実測してＲＯＭ２１２に記憶しておくことができる。あるいは、輝度センサ／カメラ２１７を用いて現地で実測してもよい。
【００３１】
Ｓ５０５でＣＰＵ２１０は、元画像２２０に階調分離２３０を適用する。階調分離２３０により、元画像２２０から、第一層１１０の印刷層（表面印刷層１１１）を形成するための第一画像２２１と、第二層１２０の印刷層（裏面印刷層１２０または表面印刷層１２１）を形成するための第二画像２２２が得られる。
【００３２】
階調分離２３０について図５を用いて説明する。横軸ｘは輝度、縦軸ｙは階調値である。元画像２２０は従来の輝度ダイナミックレンジ（ＳＤＲ：Standard Dynamic Range）よりも広いハイダイナミックレンジ（ＨＤＲ）入力輝度に対応したガンマカーブ４０１を用いて変換された階調値を有する。ＨＤＲの分野では輝度−階調変換特性をＯＥＴＦ(Optical-Electro Transfer Function)と呼び、代表的なＯＥＴＦとしてＨＬＧ(Hybrid Log-Gamma)やＰＱ(Perceptual Quantization)が知られている。
【００３３】
ＳＤＲに対応するガンマカーブ４０２は例えば、γ＝２．２〜２．４程度であり、カバーする最大輝度は１００[nit]程度である。一方、ＨＤＲに対応するガンマカーブ４０１がカバーする最大輝度は、数100から10000[nit]程度である。
【００３４】
階調分離２３０によりＣＰＵ２１０は、第一画像２２１にはＳＤＲ階調部分４０４を割り当てる。また、ＣＰＵ２１０は、第二画像２２２にはＨＤＲのフルレンジ階調からＳＤＲ階調部分４０４を所定比で除いた差分階調部分４０３を割り当てる。図５では所定比が１の場合（すなわち、ＨＤＲ画像からＳＤＲ画像を差し引いた差分画像）を示している。所定比は、面光源装置１０１の照明光１０３の透過光の輝度に対する環境光１０７の反射光の輝度の強度比に応じて定まる。環境光１０７は自然光であってもよいし、スポットライトのような人工光源が発生する光であってもよい。
【００３５】
本実施形態においてＣＰＵ２１０は、プリンタ２１９で印刷に用いる記録媒体の種類に基づき、記録媒体の透過率および反射率を取得する。記録媒体の種類と、対応する透過率および反射率は、例えばＲＯＭ２１２に予め記憶されている。
【００３６】
例えば、印刷が行われていない白紙状態において、照明光１０３の透過光と、環境光１０７の反射光の輝度が同等であれば、所定比を１とする。この時、面光源装置１０１を消灯すると照明光１０３が無くなるため、ＳＤＲ階調の第一画像２２１だけが観察され、第二画像２２２は観察されない。また、面光源装置１０１を点灯すると、照明光１０３によって第一画像２２１と第二画像２２２が合成された画像が観察される。この合成画像は元画像２２０と同様のＨＤＲ階調を有する。
【００３７】
また、環境光１０７が無い暗室状態において照明光１０３によって元画像２２０を観察したい場合には所定比を０とし、第一画像２２１にＳＤＲ階調を割り当て、第二画像２２２にＨＤＲのフルレンジ階調を割り当てる。この場合、照明光１０３で第二画像２２２を観察している際に環境光１０７が発生すると第一画像２２１のＳＤＲ階調部分４０４が重畳され、中間階調の輝度が高くなるが、不自然になることは無い。これは、人間の目の輝度弁別域値特性によるものである。第二画像２２２のＨＤＲのフルレンジ階調が照明光１０３によって明るく表示されるなか、第一画像２２１のＳＤＲ階調部分４０４が重畳されることによる中間輝度の増加は、比較的感じにくい。
【００３８】
ここでは、第一画像２２１と第二画像２２２に異なる階調を割り当てたが、より簡易的には、同じ階調を割当てても良い。その場合は、ガンマカーブ４０１のフルレンジの下位１／２の輝度範囲に対応する部分をガンマカーブ４０２として用いる。
【００３９】
階調分離を行わない場合、面光源装置１０１が点灯している条件に合わせて元画像２２０を印刷することで、面光源装置１０１が点灯した状態では元画像２２０をＨＤＲフルレンジ階調で適切に観察することができる。ところが、面光源装置１０１を消灯すると、環境光１０７による反射光のみとなり、ＨＤＲフルレンジ表示に必要な輝度が得られないため、輝度ダイナミックレンジが圧縮されてしまう。例えば面光源装置１０１の消灯によって、ハイライト表示部分のピーク輝度が１／４になったとする。この場合、全体的に明るさが１／４になるため、画像が暗くなりすぎたり、色がくすんで見えたりしてしまう。これも人間の目の輝度弁別域値特性によるもので、ピーク輝度が下がった時には、中間階調の輝度低下をより敏感に感じるからである。
【００４０】
一方、階調分離２３０を行った場合も、面光源装置１０１を点灯した時には元画像２２０が有するＨＤＲ階調で観察されることは変わらない。しかし、面光源装置１０１を消灯した場合に環境光１０７で観察される第一画像はＳＤＲ階調であるため、中間階調の輝度低下が避けられ、好適に観察できる点が異なる。
【００４１】
図７（ａ）は元画像２２０の一例を模式的に示す図である。ＨＤＲ撮影された画像にはハイライト部からシャドウ部までが高いダイナミックレンジで記録されている。
図７（ｂ）は階調分離２３０によって生成された第一画像２２１の一例を模式的に示す図である。図７（ａ）に示した元画像２２０に対して、街並みのハイライト部３０１や、花火の高輝度部３０２の階調が圧縮されたＳＤＲ画像である。
図７（ｃ）は階調分離２３０によって生成された第二画像２２２の一例を模式的に示す図である。図７（ａ）に示した元画像２２０のうち、街並みのハイライト部３０３や、花火の高輝度部３０４について、ＳＤＲ階調ではカバーできない階調が割り当てられている。
【００４２】
図６に戻り、Ｓ５０７でＣＰＵ２１０（第２の生成手段）は、階調分離で得られたＳＤＲ相当の第一画像２２１に基づく印刷データ（第１の印刷データ）を生成する。具体的には、ＣＰＵ２１０は、ＲＧＢ信号で入力された第一画像２２１を、インク色ごとの信号（例えばＣＭＹＫ信号）にカラーマトリクス変換する。そして、変換後の信号と、プリンター２１９の機種、インクの種類、用紙の種類などの組み合わせに応じたプロファイル設定とに基づいて印刷データを生成する。
【００４３】
Ｓ５０９でＣＰＵ２１０は、Ｓ５０７で生成した印刷データをプリンタ２１９に出力して、表面印刷層１１１を形成する。Ｓ５０７およびＳ５０９の処理は、従来の一般的な印刷処理と同様であるため、詳細については説明を省略する。
【００４４】
表面印刷層１１１が形成されると、記録媒体（第一層１１０の媒体層１１２）の反射率と、表面印刷層１１１の形成に用いたインクの反射率とによって、第一層反射率Ｒ１が確定する。なお、第一層反射率Ｒ１は、記録媒体の反射率、インクの反射率、および印刷データに基づいて、画素単位かつインク色単位に算出することができる。環境光１０７が印刷物１０２の表面で第一層反射率Ｒ１で反射し、第一画像の反射光による光学像が観察される。
【００４５】
表面印刷層１１１が形成されると、さらに、記録媒体（第一層１１０の媒体層１１２）の透過率と、表面印刷層１１１の形成に用いたインクの透過率とによって、第一層透過率Ｔ１も確定する。第一層透過率Ｔ１は画素単位かつインク色単位に決まるものとする。記録媒体の透過率、インクの透過率、および印刷データに基づいて、画素単位かつインク色単位に算出することができる。
【００４６】
次に、Ｓ５１１でＣＰＵ２１０（第２の生成手段）は、階調分離で得られたＨＤＲ階調部分の第二画像２２２に基づく印刷データ（第２の印刷データ）を生成する。
第二画像２２２は、照明光１０３が存在する際に、元画像と同様のＨＤＲ階調を有する画像が観察できるよう、第一画像２２１よりも面光源装置側に印刷される画像である。具体的には、照明光１０３によって上昇する輝度による第一画像の黒浮きを抑制するとともに、ＳＤＲではカバーできない光輝度部分に階調を与えることが第二画像の主な機能である。
【００４７】
そのため、第二画像２２２の印刷データを生成する際には、照明光１０３の透過光によって観察される第一画像２２１と第二画像２２２との合成画像が、元画像２２０と同様の階調性を有するような第二層透過率Ｔ２を実現することが必要である。ＣＰＵ２１０は、第二画像２２２に基づく印刷データを生成する前に、第二層透過率Ｔ２を画素ごとに算出し、算出した透過率を実現するようにＲＧＢデータをインク色ごとのデータに変換する。
【００４８】
照明光１０３は第二層および第一層を透過して観察されるため、透過光の輝度は
照明光輝度×第二層透過率Ｔ２×第一層透過率Ｔ１
で表される。そして、透過光の輝度は対応する階調に依存するので、ある階調に対応する第二層透過率Ｔ２は、
第二層透過率Ｔ２＝階調／（照明光輝度×第一層透過率Ｔ１）
で求めることができる。なお、図３（ｂ）のように記録媒体を複数枚用いる場合には、第二層透過率Ｔ２を第二層の記録媒体の透過率で除算した値を用いればよい。
【００４９】
図４では乗算器２７０で（照明光輝度２６５×第一層透過率Ｔ１）を求め、その逆数を除算器２７１で求めたのち、乗算器２７２で第二画像２２２の階調２６０に乗じることで、第二層透過率Ｔ２を算出している。階調は例えばＲＧＢの成分ごとの値であってよい。
【００５０】
ＣＰＵ２１０は、各画素について第二層透過率Ｔ２を算出すると、第二層透過率Ｔ２を実現するＣＭＹＫデータを生成する。例えばＲＧＢからＣＭＹＫに変換した際のインク量に応じた透過率が第二層透過率Ｔ２からずれている場合には、色味の変化を抑制しながらインク量を増減することができる。このように、本実施形態では、元画像と、透過光によって観察される第一画像２２１との差に相当する第二画像２２２を表す印刷データを生成する。
【００５１】
Ｓ５１３でＣＰＵ２１０は、Ｓ５１１で生成した印刷データをプリンタ２１９に出力して、裏面印刷層１２０または表面印刷層１２１を形成し、処理を終了する。Ｓ５１３の処理は、従来の一般的な印刷処理と同様であるため、詳細については説明を省略する。
【００５２】
このようにして得られた印刷物を面光源装置１０１において観察する際、面光源装置１０１を消灯した状態では環境光１０７による第一画像の反射像が観察される。観察される第一画像はＳＤＲ画像である。この状態で面光源装置１０１を点灯すると、印刷物全体が背面から照明されるため、透過光による光学像が観察されるようになる。照明光によって印刷物の最高輝度が上昇するとともに、第二画像によって黒浮きが抑制されるため、印刷物の輝度ダイナミックレンジが拡大する。上述したように、第二画像の印刷濃度は第一画像と第二画像の透過光による合成画像の輝度が、元画像の輝度と同様になるように制御されている。そのため、面光源装置１０１を点灯すると、印刷物はＨＤＲ画像として観察されるようになる。
【００５３】
以上説明したように、本実施形態によれば、印刷物を背後から照明する照明光の透過光によって観察する際に階調数を拡大する画像を、反射光で観察される画像を印刷した記録媒体の裏面に印刷するか、裏面側に配置される別の記録媒体に印刷する。これにより、印刷物を反射光で観察する場合も、透過光で観察する場合も、違和感のない観察が可能になる。
【００５４】
なお、元画像がＨＤＲ画像でない場合などに、第一画像および第二画像として元画像を用いてもよい。この場合、面光源装置１０１の点灯時には消灯時よりもコントラストが高い画像が観察される。
【００５５】
●（第２実施形態）
第１実施形態では、面光源装置１０１が印刷物１０２を背面から照射する照明光１０３の輝度が実質的に均等であることを前提としていた。それに対し本実施形態では、面光源装置１０１が領域ごとに照明光１０３の輝度を制御可能である場合について説明する。なお、以下の説明において第１実施形態と同じ部材には同じ符号を付し、重複する説明は省略する。
【００５６】
本実施形態において面光源装置１０１は光源を複数有し、例えば数十から数百個の領域単位で照明光１０３の輝度が可変である。そして、ＣＰＵ２１０は、図４に点線で示しているように、第二画像２２２の階調２６０によって照明光１０３の輝度を制御する。例えばＣＰＵ２１０は、第二画像２２２を面光源装置１０１における輝度制御単位と同様に分割した領域ごとに代表輝度を算出する。代表輝度は例えば平均輝度とする。そして、ＣＰＵ２１０は、代表輝度に基づいて、面光源装置１０１の対応する領域の輝度を制御する。例えばＣＰＵ２１０は、代表輝度が高い領域については対応する領域の照明光１０３の輝度を高く、代表輝度が低い領域については対応する領域の照明光１０３の輝度を低く制御する。
【００５７】
図８（ａ）は第二画像２２２が図７（ｃ）に示したものである場合の、照明光１０３の輝度分布を模式的に示している。高階調部分については輝度が高く、低階調部分については輝度が低い。輝度を調整可能な領域の数が第二画像の画素数よりも少ないため、面光源装置の輝度は第二画像を平滑化したような分布を有する。また、明暗差の大きい輪郭部分にハロー(halo)６０１が発生している。
【００５８】
本実施形態では画素ごとの第二層透過率Ｔ２を算出する際の照明光輝度として、画素の位置に対応する面光源装置１０１の領域の輝度を用いる。さらに、ＣＰＵ２１０は、第二画像において階調変化が大きいエッジ部分を検出し、エッジ部分に隣接する部分の第二透過率Ｔ２にハローを相殺するための変化を付与する。図８（ｂ）は、第二画像の各画素について算出した第二層透過率Ｔ２を画像として示しており、６０２で示すような、エッジ部分に隣接した透過率の低い領域（逆ハローと呼ぶ）を含んでいる。なお、図８（ａ）のハロー６０１および図８（ｂ）の逆ハロー６０２はハローおよび逆ハローの一部を示している。図８（ａ）および（ｂ）から明らかなように、他のエッジ部分にもハローや逆ハローが存在する。
【００５９】
図９にハロー６０１、逆ハロー６０２の特性例を示す。横軸ｘ方向はいずれも面内の位置を示し、縦軸ｙ方向は階調もしくは輝度を示す。
図９（ａ）は第二画像２２２のエッジ部分の階調６１１を示している。例えば、街並みのハイライト部分と夜景のシャドウ部分とが隣接する位置に該当しする。
図９（ｂ）は、図９（ａ）に対応するエッジ部分における照明光１０３の輝度変化６１２の例を示している。照明光１０３の輝度制御の空間解像度が第二画像の空間解像度よりも低いため、輝度変化がなまってハロー６０１が発生している。
図９（ｃ）は第二層透過率Ｔ２の変化６１３の例を示す。図９（ｂ）のハロー６０１を相殺するための階調変化である逆ハロー６０２が第二層透過率Ｔ２に付加されている。このようなハロー相殺のための階調変化を第二層透過率Ｔ２のエッジ部分に付加して印刷を実行することにより、面光源装置１０１に発生するハロー６０１による影響が、観察される印刷物に与える影響を抑制することができる。
【００６０】
なお、算出した第二層透過率Ｔ２にどのような逆ハロー６０２を付加するかは、面光源装置１０１の構成に依存する。そのため、事前に面光源装置１０１の輝度分布に発生するハローを計測し、それを打ち消すために第二層透過率Ｔ２のエッジ部分付近に付与する透過率の変化パターンを記憶しておくことができる。そして、ＣＰＵ２１０はまず逆ハロー６０２を付加しない状態で第二層透過率Ｔ２を算出した後、エッジ部分を検出し、記憶された変化パターンをエッジ部分の隣接部分に適用して逆ハロー６０２を付加することができる。
【００６１】
照明光１０３の輝度が領域ごとに制御可能な構成について説明したが、例えば第二画像２２２の最大輝度階調に応じて全面の輝度を変更する構成であってもよい。また、環境光１０７の明るさを光センサ等で検出し、環境光１０７が明るい場合には照明光１０３の輝度を高めるといったように、環境光１０７の明るさに応じて照明光１０３の明るさを調整してもよい。
【００６２】
以上説明したように本実施形態によれば、領域ごとに輝度を変更可能な面光源装置を用いる場合に生じうる照明光のハローが観察される像に与える影響を、第二層への印刷によって抑制することが可能であるという効果を有する。
【００６３】
●（その他の実施形態）
上述の実施形態では、面光源装置１０１を点灯することで、面光源装置１０１で照明される印刷物の輝度ダイナミックレンジが拡張したように見せる構成について説明した。しかし、例えば面光源装置１０１を点灯することで、色域を拡大したように見せる構成としても良い。
【００６４】
この場合、元画像の色深度が例えば１０ｂｉｔであり、第一画像の色深度が下位８ｂｉｔ、第二画像の色深度が上位２ｂｉｔと階調分離する。これにより、輝度ダイナミックレンジと同様にして、観察される印刷物の色域を拡大することができる。
【００６５】
図８（ｃ）は、例えば元画像から階調分離された第二画像２２２の例を模式的に示している。花火の広色域かつ高輝度な部分７０１が第二画像２２２として階調分離される。このような第二画像に基づいて生成された印刷データを第二層に印刷することにより、面光源装置１０１を点灯したときに広色域で印刷物を観察可能とする。
【００６６】
また、面光源装置１０１の光源には、冷陰極管や高演色タイプの白色ＬＥＤが利用可能であるが、例えばＲＧＢレーザーを用いても良い。
図１０は、面光源装置１０１の光源としてＲＧＢレーザーを用いた場合の色度図の一例をＣＩＥ  ＸＹＺ表色系で示したｘｙ色度図である。面光源装置１０１を消灯したときの最大色域６５２は、環境光１０７のピークスペクトル６５１とＣＭＹＫの色相で決まる六角形を示す。一方、光源にＲＧＢレーザーを用いた面光源装置１０１を点灯したときの最大色域６６２は、消灯時の最大色域６５２に対して面積比で２倍程度広がることが期待される。また、形状はＲＧＢレーザーのピークスペクトル６６１を頂点にした六角形を示す。したがって、ＲＧＢレーザーを光源とする面光源装置１０１を用いた場合には、面光源装置１０１を点灯したときに広色域な鑑賞が可能となる。
【００６７】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６８】
１０１…面光源装置、１０２…印刷物、１０３…照明光、１０７…環境光、１１０…第一層、１２０…第二層、１１２、１２２…媒体層
【図１】
2019005973.tif 000003
【図２】
2019005973.tif 000004
【図３】
2019005973.tif 000005
【図４】
2019005973.tif 000006
【図５】
2019005973.tif 000007
【図６】
2019005973.tif 000008
【図７】
2019005973.tif 000009
【図８】
2019005973.tif 000010
【図９】
2019005973.tif 000011
【図１０】
2019005973.tif 000012